(57)【要約】【課題】濃度変動、位置変動が許容範囲を超えるような急激な印刷速度の変更を回避でき、かつ所定の印刷速度まで短時間に到達させることができる印刷速度昇速装置および方法の提供。【解決手段】印刷品目とその属性に対応させて昇速率を定めた昇速率表を記憶する記憶手段と、印刷品目とその属性の指定入力に基づいて前記記憶した昇速率表を参照して昇速率を得る昇速率参照手段と、前記参照した昇速率に基づいて印刷機制御部に対して印刷速度の昇速率を設定する昇速率設定手段とを具備するようにした印刷速度昇速装置、およびその装置に適用された方法。【選択図】  図３
2010228146.tif 000002
【特許請求の範囲】
【請求項１】
印刷品目とその属性に対応させて昇速率を定めた昇速率表を記憶する記憶手段と、印刷品目とその属性の指定入力に基づいて前記記憶した昇速率表を参照して昇速率を得る昇速率参照手段と、前記参照した昇速率に基づいて印刷機制御部に対して印刷速度の昇速率を設定する昇速率設定手段とを具備することを特徴とする印刷速度昇速装置。
【請求項２】
請求項１に記載の印刷速度昇速装置において、印刷機制御部において手動操作で昇速を行ったときの印刷速度を収集する印刷速度収集手段と、前記収集した印刷速度に基づいて昇速率を演算する昇速率演算手段と、印刷品目とその属性の指定入力に基づいて前記印刷品目とその属性および前記昇速率を対応付けて昇速率表に登録する昇速率登録手段とを具備することを特徴とする印刷速度昇速装置。
【請求項３】
請求項１または２に記載の印刷速度昇速装置において、前記属性は要求印刷品質であることを特徴とする印刷速度昇速装置。
【請求項４】
請求項１〜３のいずれかに記載の印刷速度昇速装置において、前記属性は絵柄面積率であることを特徴とする印刷速度昇速装置。
【請求項５】
請求項１〜４のいずれかに記載の印刷速度昇速装置において、前記属性は用紙銘柄であることを特徴とする印刷速度昇速装置。
【請求項６】
印刷品目とその属性に対応させて昇速率を定めた昇速率表を記憶する記憶過程と、印刷品目とその属性の指定入力に基づいて前記記憶した昇速率表を参照して昇速率を得る昇速率参照過程と、前記参照した昇速率に基づいて印刷機制御部に対して印刷速度の昇速率を設定する昇速率設定過程とを有することを特徴とする印刷速度昇速方法。
【発明の詳細な説明】
【技術分野】
【０００１】
本発明は印刷機の技術分野に属する。特に、良品印刷条件の調整が済んで印刷機の運転速度を上昇させる印刷開始時において、印刷品質に悪影響しない範囲で運転速度を上昇させることができる印刷速度昇速装置および方法に関する。
【背景技術】
【０００２】
印刷機においては印刷中に印刷速度を変更することが普通に行われている。印刷品目を切替えて適正な印刷条件を設定するまでは損紙（不良印刷物）の発生量を少なくするために印刷速度を遅くして印刷する。また、適正な印刷条件が設定されると生産性を向上させるために印刷速度を可能な限り速くして印刷する。しかし、印刷速度を変更したときには印刷品質に影響が現れる。印刷品質に対する影響としては、印刷における濃度変動と、色間、折、断裁における位置変動とが大きなものである。
印刷機のインキ供給部には印刷速度に追従して供給量を変更する機構が備わっている。したがって、定常状態においては濃度変動は小さいものである。しかし、インキ供給量の変更が印刷物に反映されるまでには時間遅れが存在する。この時間遅れはインキ供給部の機構に起因しており回避できない。したがって昇速中はインキ不足となり降速中はインキ過剰となる濃度変動がある。
また、印刷機における印刷ユニット間の印刷位置合わせ、折部の折位置合わせ、断裁部の断裁位置合わせについては位置変動を修正する制御機構が備わっている。したがって、定常状態においては位置変動は小さいものである。しかし、位置変動の修正が印刷物に反映されるまでには時間遅れが存在する。この時間遅れは制御機構に起因しており回避できない。したがって昇速中または降速中は位置変動がある。
この濃度変動、位置変動が許容範囲を超えたときには印刷物は不良品となってしまうから、濃度変動、位置変動が許容範囲を超えるような急激な印刷速度の変更を回避する必要性がある。
従来技術としては、そのために、印刷機の加速制御方法及び印刷機に関し、損紙を発生させることなく印刷速度を変更できるようにすることを目的とし、用紙の見当、印刷濃度、断裁位置のずれがいずれも許容範囲内に収まるだけの限定された変速幅又は変速時間だけ変速運転を行う変速運転ステップと、そのフィードバック制御により上記の見当、印刷濃度、断裁位置を所定のものに収束制御しうる微小変速度運転或いは一定速度運転を行う安定速度運転ステップとを、交互に繰り返して、目標速度まで階段状に変速する発明が公知である（特許文献１）。
しかし、この方法では微小変速の速度変動幅は濃度、位置変動量を許容値内に収めるために、階段上に変速する。そのため一定時間の定速になる時間が必要となり、昇速が完了するまでには時間がかかる（図１０参照）。また、変速中、濃度と位置の変動が許容範囲ではあるが、一定量はずれるため高品質な印刷物が求められるときには適さないという問題があった。
【先行技術文献】
【特許文献】
【０００３】
【特許文献１】特開２００３−４８３０９
【発明の概要】
【発明が解決しようとする課題】
【０００４】
本発明は上記の問題を解決するためになされたものである。その目的は、濃度変動、位置変動が許容範囲を超えるような急激な印刷速度の変更を回避でき、かつ所定の印刷速度まで短時間に到達させることができる印刷速度昇速装置および方法を提供することにある。
【課題を解決するための手段】
【０００５】
本発明の請求項１に係る印刷速度昇速装置は、印刷品目とその属性に対応させて昇速率を定めた昇速率表を記憶する記憶手段と、印刷品目とその属性の指定入力に基づいて前記記憶した昇速率表を参照して昇速率を得る昇速率参照手段と、前記参照した昇速率に基づいて印刷機制御部に対して印刷速度の昇速率を設定する昇速率設定手段とを具備するようにしたものである。
また、本発明の請求項２に係る印刷速度昇速装置は、請求項１に係る印刷速度昇速装置において、印刷機制御部において手動操作で昇速を行ったときの印刷速度を収集する印刷速度収集手段と、前記収集した印刷速度に基づいて昇速率を演算する昇速率演算手段と、印刷品目とその属性の指定入力に基づいて前記印刷品目とその属性および前記昇速率を対応付けて昇速率表に登録する昇速率登録手段とを具備するようにしたものである。
また、本発明の請求項３に係る印刷速度昇速装置は、請求項１または２に係る印刷速度昇速装置において、前記属性は要求印刷品質であることを特徴とする印刷速度昇速装置。
また、本発明の請求項４に係る印刷速度昇速装置は、請求項１〜３のいずれかに係る印刷速度昇速装置において、前記属性は絵柄面積率であることを特徴とする印刷速度昇速装置。
また、本発明の請求項５に係る印刷速度昇速装置は、請求項１〜４のいずれかに係る印刷速度昇速装置において、前記属性は用紙銘柄であることを特徴とする印刷速度昇速装置。
また、本発明の請求項６に係る印刷速度昇速方法は、印刷品目とその属性に対応させて昇速率を定めた昇速率表を記憶する記憶過程と、印刷品目とその属性の指定入力に基づいて前記記憶した昇速率表を参照して昇速率を得る昇速率参照過程と、前記参照した昇速率に基づいて印刷機制御部に対して印刷速度の昇速率を設定する昇速率設定過程とを有することを特徴とする印刷速度昇速方法。
【発明の効果】
【０００６】
本発明の請求項１に係る印刷速度昇速装置によれば、記憶手段により印刷品目とその属性に対応させて昇速率を定めた昇速率表が記憶され、昇速率参照手段により印刷品目とその属性の指定入力に基づいて前記記憶した昇速率表が参照されて昇速率が得られ、昇速率設定手段により前記参照した昇速率に基づいて印刷機制御部に対して印刷速度の昇速率が設定される。すなわち、印刷品目とその属性に対応させてあらかじめ最適な昇速率を設定しておくことができる。したがって、濃度変動、位置変動が許容範囲を超えるような急激な印刷速度の変更を回避でき、かつ所定の印刷速度まで短時間に到達させることができる印刷速度昇速装置が提供される。
また、本発明の請求項２に係る印刷速度昇速装置によれば、請求項１に係る印刷速度昇速装置において、印刷速度収集手段により印刷機制御部において手動操作で昇速を行ったときの印刷速度が収集され、昇速率演算手段により前記収集した印刷速度に基づいて昇速率が演算され、昇速率登録手段により印刷品目とその属性の指定入力に基づいて前記印刷品目とその属性および前記昇速率が対応付けられて昇速率表に登録される。したがって、昇速率表に存在しない印刷品目とその属性について実績値としての昇速率を自動登録することができる。
また、本発明の請求項３に係る印刷速度昇速装置によれば、請求項１または２に係る印刷速度昇速装置において、前記属性は要求印刷品質である。したがって、要求印刷品質に応じた昇速率が設定される。
また、本発明の請求項４に係る印刷速度昇速装置によれば、請求項１〜３のいずれかに係る印刷速度昇速装置において、前記属性は絵柄面積率である。したがって、絵柄面積率に応じた昇速率が設定される。
また、本発明の請求項５に係る印刷速度昇速装置によれば、請求項１〜４のいずれかに係る印刷速度昇速装置において、前記属性は用紙銘柄である。したがって、用紙銘柄に応じた昇速率が設定される。
また、本発明の請求項６に係る印刷速度昇速方法によれば、記憶過程において印刷品目とその属性に対応させて昇速率を定めた昇速率表が記憶され、昇速率参照過程において印刷品目とその属性の指定入力に基づいて前記記憶した昇速率表が参照されて昇速率が得られ、昇速率設定過程において前記参照した昇速率に基づいて印刷機制御部に対して印刷速度の昇速率が設定される。すなわち、印刷品目とその属性に対応させてあらかじめ最適な昇速率を設定しておくことができる。したがって、濃度変動、位置変動が許容範囲を超えるような急激な印刷速度の変更を回避でき、かつ所定の印刷速度まで短時間に到達させることができる印刷速度昇速方法が提供される。
【図面の簡単な説明】
【０００７】
【図１】本発明の印刷速度昇速装置とその周辺の構成の一例を示す説明図である。
【図２】本発明の印刷速度昇速装置および方法が適用される印刷機の構成の一例を示す図である。
【図３】本発明の印刷速度昇速装置における構成の一例を示すブロック図である。
【図４】昇速率表の一例（その１）を示す図である。
【図５】昇速率表の一例（その２）を示す図である。
【図６】昇速率表の一例（その３）を示す図である。
【図７】本発明の印刷速度昇速装置において昇速率を設定する動作のフローの一例を示す図である。
【図８】本発明の印刷速度昇速装置において昇速率を登録する動作のフローの一例を示す図である。
【図９】本発明の印刷速度昇速装置において昇速率の設定と登録する動作のフローの一例を示す図である。
【図１０】経過時間と印刷速度について本発明と従来技術の比較をグラフで示した説明図である。
【発明を実施するための形態】
【０００８】
次に、本発明の実施の形態について図を参照しながら説明する。最初に、本発明の印刷速度昇速装置とその周辺の構成について説明する。その構成の一例を図１に示す。
本発明の印刷速度昇速装置はＰＬＣ（Plogramable Logic Controller）、パーソナルコンピュータシステム、等のデータ処理装置のソフトウェアとハードウェアによって実現することができる。印刷速度昇速装置は、図１に示す一例においては、ＰＬＣを使用している。図１に示すタッチパネル付ディスプレイはそのＰＬＣにおけるマン・マシン・インタフェースである。作業者はタッチパネル付ディスプレイにおいて印刷速度昇速装置に対する指定入力（印刷品目とその属性、等）を行う。また、印刷速度昇速装置はタッチパネル付ディスプレイに指定内容（印刷品目とその属性、等）、動作内容（昇速率、等）のデータ表示を行う。
【０００９】
印刷速度昇速装置はオフセット輪転印刷の製造ライン、すなわち印刷機、折機、コンベヤ、スタッカーバンドラー、等からなる製造ラインにおいて、それらの状態を示す信号を入力する。その信号は、図１において入力信号として示されている。入力信号は、たとえば、新しい品目の印刷において良品印刷物を印刷する印刷条件の設定が済んで製品（中間製品）となる印刷物の印刷を開始する開始信号、印刷中における印刷速度（印刷版の回転速度）等である。印刷速度昇速装置はこの入力信号に基づいて印刷速度の昇速率を演算する動作、等を行う。
また、印刷速度昇速装置は印刷機の動作を制御する信号、すなわち図１に示す出力信号を出力する。出力信号は、たとえば、印刷機に対して印刷速度の昇速率を設定するための昇速率設定信号である。
【００１０】
本発明の印刷速度昇速装置が適用される印刷機の構成の一例を図２に示す。図２においては、オフセット輪転印刷機が示されている。その給紙部において巻取体から巻解かれたウェブ（印刷用紙）は印刷部に送給される。印刷部においてウェブの両面に各４色（ＹＭＣＫ）インキによる重ね刷りが行われる。その後、ウェブはドライヤーを通過し印刷面のインキ乾燥（ヒートセット）が行われる。オフセット輪転印刷機の排紙部においてインキ乾燥が行われたウェブは排出する。このとき、排出部のウェブガイドコントローラ（図示せず）はウェブの左右方向（移送方向に対して直角方向）の位置を制御する。この制御は次の折機においてウェブの適正な折が行われるようにするためである。ウェブは折機において折られさらに切断が行われ折丁となる。折丁は羽根車によって個々に分離され等間隔となるようにコンベヤーに載せられる。コンベヤの延長上にスタッカーバンドラーが存在し、スタッカーバンドラーにおいて折丁は所定の枚数に結束される。その結束体はパレット（図示せず）に移送され、パレットの上に積み上げられる。
このように、オフセット輪転印刷の製造ラインは印刷機、折機、コンベヤ、スタッカーバンドラー、等からなるライン構成となっており、その印刷品質に対する影響としては、印刷における濃度変動と、色間、折、断裁における位置変動とが大きなものである。
【００１１】
印刷速度昇速装置とその周辺の構成について説明した。次に、本発明の印刷速度昇速装置の構成について説明する。本発明の印刷速度昇速装置における構成の一例を図３に示す。図３において、１００は印刷速度昇速装置（本体）、１０１は表示部、１０２は入力部、２００は印刷機制御部である。また、印刷速度昇速装置１００において、１０は記憶部、２０は演算部である。また、記憶部１０において、１１は印刷品目、１２は属性値、１３は収集印刷速度、１４は昇速率表、１５は昇速率、１６は表示データである。また、演算部２０において、２１は昇速率参照手段、２２は昇速率設定手段、２３は印刷速度収集手段、２４は昇速率演算手段、２５は昇速率登録手段、２６は表示手段である。
印刷速度昇速装置（本体）１００は、すでに説明したように、ＰＬＣ、パーソナルコンピュータシステム、等のデータ処理装置のソフトウェアとハードウェアによって実現することができる。
表示部１０１は液晶ディスプレイ等の印刷速度昇速装置１００の表示部である。表示部１０１は表示手段２４によって生成された表示データを画像として表示（可視化）する。
入力部１０２はタッチパネル、キーボード、等の印刷速度昇速装置１００の入力部である。この入力部１０２と表示部１０１とで印刷速度昇速装置１００のマン・マシン・インタフェースを形成する。
印刷機制御部２００は図１、図２に示した印刷機（オフセット輪転印刷機）の制御部である。印刷物計数装置はこの印刷機制御部２００を介して印刷機を制御することができる。たとえば、印刷機制御部２００に対して印刷速度の昇速率を設定することにより、間接的に印刷機の制御を行う。
【００１２】
印刷速度昇速装置１００は記憶部１０と演算部２０を有する。記憶部１０はデータを記憶する部分であり、具体的には印刷品目１１、属性値１２、昇速率１３、昇速率表１４、収集印刷速度１５、表示データ１６を記憶する。
印刷品目１１（ここで印刷品目を属性とみなせば印刷品目１１はその値（属性値）を意味する）は印刷製品に付けられた名称である。名称の付け方には色々ある。たとえば、「チラシ」、「パンフレット」、「冊子」、「カード」、等の印刷種を名称とすることができる。また、「チラシ」の中で、「○○スーパー」、「△△ストア」、「××商店」、等の販売店を名称とすることができる。また、「△△ストア」の中で、「期末セール」、「週替りセール」、等のセールを名称とすることができる。また、印刷機で一連の印刷を行う単位（ロット）として、「△△ストア期末セール」ロット番号１００１、等の製造番号単位の名称とすることもできる。印刷品目１１は、製造番号単位の細かい名称としてもよいが、使用する紙種、インキ種類、折方式、等の印刷基本事項が同一であり、印刷の具体内容（文字絵柄）だけが異なるのであれば、同一の判りやすい名称とすることができる。本発明はこの印刷品目の名称の付け方には限定されない。
【００１３】
属性値１２は印刷品目１１に関連した属性の値であって、印刷品目が同一であってもさらに区別を付ける必要性があるときに、その区別をするものとして属性値１２が使用される。たとえば、印刷品目１１が「△△ストア」のとき、属性値１２として「週替りセール」を使用することができる。また、属性値１２は前述した印刷基本事項が同一であって印刷具体内容が異なるときにその内容を表現するものとして使用される。たとえば、要求印刷品質を属性とするときＳ，Ａ，Ｂ，Ｃ，Ｄのように属性値を定めて使用する。また、絵柄面積率を属性とするとき５％、１０％、１５％、２０％、３０％、４０％、５０％のように属性値を定めて使用する。また、用紙銘柄を属性とするとき上質紙Ａ、上質紙Ｂ、コート紙Ｃ、コート紙Ｄのように属性値を定めて使用する。
【００１４】
昇速率１３は印刷速度を昇速するときの程度すなわち加速度である。一般に、印刷品目を切替えて適正な印刷条件を設定するまでは損紙（不良印刷物）の発生量を少なくするために印刷速度を遅くして印刷する。その後に、適正な印刷条件が設定されると生産性を向上させるために印刷速度を可能な限り速くして印刷する。昇速率１３は、ここでは、特にその時に適用される昇速率である。昇速率１３としては普通の要求品質の印刷品目であれば１２ｍ／ｍｉｎ2の昇速率で十分に良好な印刷品質を得ることができる（濃度変動０．１、位置変動１００μｍ）。しかしながら、要求品質は印刷品目によって異なり、また印刷条件（用紙、インキ、湿し水）も異なり、印刷機の精度や性能も印刷機によって異なる。したがって、各々の印刷機における実証試験によって昇速率１３を決定することが望ましい。決定した条件は昇速率表１４として記憶部１０に記憶する。リピート印刷品目や類似の印刷品目については昇速率表１４を参照して昇速率を得ることができる。
【００１５】
昇速率表１４は印刷品目とその属性に対応させて昇速率を定めた表である。昇速率表の一例を図４〜図６に示す。図４においては、印刷品目として品目Ａ、品目Ｂ、品目Ｃの各々に対して属性として品質レベル（要求品質）、平均面積率の２つが設定され、各々に対して昇速率が設定されている。すなわち、品目Ａは品質レベルＳで平均面積率２５％であり、その昇速率は８ｍ／ｍｉｎ2である。また、品目Ｂは品質レベルＡで平均面積率２５％であり、その昇速率は１０ｍ／ｍｉｎ2である。また、品目Ｃは品質レベルＣで平均面積率２５％であり、その昇速率は１２ｍ／ｍｉｎ2である。このように、品質レベル（要求品質）が高いときには昇速率が大きく、品質レベルが低いときには昇速率が小さい。
【００１６】
同様に、図５においては、印刷品目として品目Ａ、品目Ｂ、品目Ｃの各々に対して属性として用紙銘柄、用紙斤量の２つが設定され、各々に対して昇速率が設定されている。すなわち、品目Ａは用紙銘柄がアルファで用紙斤量が５０であり、その昇速率は１２ｍ／ｍｉｎ2である。また、品目Ｂは用紙銘柄がアルファで用紙斤量が７５であり、その昇速率は１２ｍ／ｍｉｎ2である。また、品目Ｂは用紙銘柄がアルファで用紙斤量が１００であり、その昇速率は１２ｍ／ｍｉｎ2である。このように、用紙銘柄がアルファのときには用紙斤量によらず昇速率が一定である。
なお、用紙斤量は印刷用紙の重さの単位であって、ここではキロ連量と同一意味である。すなわち、全判１０００枚を１連として、その重さをｋｇ（キログラム）で表示したものである。キロ数が大きいほど紙は厚く小さいほど紙は薄い。
【００１７】
また、図６においては、印刷品目として品目Ａの１つ対して属性である平均面積率に属性値として３つが設定され、各々に対して昇速率が設定されている。すなわち、品目Ａの平均面積率が５％であるときには、その昇速率は５ｍ／ｍｉｎ2である。また、品目Ａの平均面積率が３０％であるときには、その昇速率は１２ｍ／ｍｉｎ2である。また、品目Ａの平均面積率が７５％であるときには、その昇速率は１２ｍ／ｍｉｎ2である。このように、同一の品目Ａであっても平均面積率によって昇速率が相違し、平均面積率が小さいとき、たとえば５％のときには昇速率を十分に小さくする必要性がある。
なお、昇速率表１４をリレーショナルデータベースのリレーションとして表現すると好適である。そのときには印刷品目も属性であり、その属性値が品目Ａ、品目Ｂ、品目Ｃである。また、図４〜図６に一例を示した昇速率表はリレーションを表として示したものである。また、作業者が複数の属性値を指定入力することにより、それらすべての属性値を検索条件として対応する昇速率をデータベースから検索することができる。
【００１８】
収集印刷速度１５は作業者が印刷機制御部２００において手動操作で昇速を行ったときの印刷速度を印刷速度収集手段２３が印刷機制御部２００を経由して収集した印刷速度のデータ群である。すなわち、収集印刷速度１５は所定の間隔で所定の期間に収集された複数の印刷速度からなる。この収集印刷速度１５に基づいて昇速率演算手段２４は昇速率を演算する。
表示データ１６は表示部１０１に表示するためのデータである。言い換えると、表示手段２８によって表示データ１８に書き込まれたデータを表示部１０１が表示する。
【００１９】
ここで平均面積率について説明をしておく。平均面積率は多色印刷において複数使用するすべての印刷版における全領域の絵柄面積率の平均値である。絵柄面積率はインキの供給量分布を調節する複数のインキキーの各々の調節領域ごとに絵柄部分（インキ着肉部分）の面積率を百分率（％）で表した値である。したがって、インキキーの各々の調節領域ごとに与えられた絵柄面積率の平均値を各印刷版について演算し、さらに、その各印刷版について演算した平均値に基づいて、すべての印刷版の平均値を演算したものが平均面積率である。平均面積率は、図２に示すオフセット印刷機の一例においては、４色印刷を表裏面に行うのであれば、８枚の印刷版における全領域の絵柄面積率の平均値ということになる。
この絵柄面積率を得る方法としては、印刷版を作成する工程（刷版工程）で印刷版を計測する方法と、印刷版を作成するときの元データたとえばラスタースキャンデータ（印刷版のイメージデータ）から演算する方法とが周知である。
【００２０】
図３に戻って説明を続ける。演算部２０は入力されたデータ、記憶部１０に記憶されたデータ、等に対して、データ処理（入出力、演算、等）を行う部分であり、具体的には昇速率参照手段２１、昇速率設定手段２２、印刷速度収集手段２３、昇速率演算手段２４、昇速率登録手段２５、表示手段２６を備える。
昇速率参照手段２１は作業者が指定入力し記憶部１０に記憶されている印刷品目１１とその属性値１２に基づいて、あらかじめ記憶されている昇速率表１３を参照して昇速率１４を得る。たとえば、作業者が印刷品目を品目Ｂ、品質レベル（要求品質）をＡ、平均面積率を２５％のように指定入力すると図４に示す昇速率表が参照されて昇速率１０ｍ／ｍｉｎ2が昇速率参照手段２１によって得られる。また、作業者が印刷品目を品目Ｂ、品質用紙銘柄をアルファ、用紙斤量を７５のように指定入力すると図５に示す昇速率表が参照されて昇速率１２ｍ／ｍｉｎ2が昇速率参照手段２１によって得られる。また、作業者が印刷品目を品目Ａ、平均面積率を３０％のように指定入力すると図６に示す昇速率表が参照されて昇速率１２ｍ／ｍｉｎ2が得られる。なお、前述したリレーションとして昇速率表１３が表現されているときには、昇速率参照手段２１はそのリレーションのデータベースに対するデータベース管理手段（データベース・マネージメント・システム）として同様の機能を有する。
【００２１】
昇速率設定手段２２はその参照した昇速率１４に基づいて印刷機制御部２００に対して印刷速度の昇速率１４を設定する。たとえば、昇速率設定手段２２は図１に示す出力信号として昇速率１４を設定する信号を出力し、印刷機制御部２００はその出力信号を入力し、その昇速率１４を印刷機における昇速率の設定値として記憶する。
この昇速率１４は、良品印刷条件の調整が済んで印刷機の運転速度を上昇させる印刷開始時において、印刷品質に悪影響しない範囲で運転速度を上昇させることができる最大限の昇速率である。したがって、そのような印刷開始時において、作業者が印刷機の運転速度を上昇させる指示入力を行ったときには、印刷機制御部２００は印刷機における実際の昇速率が昇速率１４と一致するように印刷機の制御を行う。なお、良品印刷条件の調整を行っているときの印刷速度（調整印刷速度）と、定常運転を行っているときの印刷速度（定常印刷速度）は別途定められている。したがって、昇速率１４に基づいて印刷速度の上昇を行って印刷速度が調整印刷速度から定常印刷速度に到達したときには、印刷機制御部２００は印刷速度の昇速を自動停止し定常印刷速度での印刷を行う。
【００２２】
印刷速度収集手段２３は印刷機制御部２００において手動操作で昇速を行ったときの印刷速度を収集する。印刷速度を収集は所定時間間隔（たとえば５秒間隔）で行われる。印刷速度収集手段２３は収集した印刷速度を収集印刷速度１５として記憶部１０に記憶する。収集印刷速度１５は収集した複数の印刷速度のデータファイルである。
この印刷速度収集手段２３による印刷速度の収集の目的は、昇速率表に存在しない印刷品目とその属性について実績値としての昇速率を自動登録することができるようにするためである。作業者は昇速率表に存在しない新しい印刷品目の印刷に当たっては、基本となる昇速率（たとえば、１２ｍ／ｍｉｎ2）か、またはその印刷品目の属性値に基づいて作業者が経験値から予測した昇速率を適用して印刷を開始する。印刷中に作業者は印刷品質（濃度と位置）をチェックし、問題がなければ少しづつ昇速率を増大する操作を行う。また、多少の問題であれば少し昇速率を減少させる操作を行う。また、問題が大きければ昇速を一時停止し一定の印刷速度を一定時間だけ維持する。そのような操作を繰返すことで印刷機を手動で定常印刷速度に到達させることができる。
【００２３】
昇速率演算手段２４は収集した印刷速度に基づいて昇速率を演算する。昇速率の演算は昇速を開始した時点から定常印刷速度に到達した時点までに収集した収集印刷速度１５に基づいて行われる。基本的な昇速率の演算は、時間の経過において隣接する印刷速度の差分を演算し、その差分の平均値を演算し、その平均値を所定時間間隔（サンプリング時間）で除算することにより昇速率を得る方式により行われる。ただし、印刷品質に大きな問題が発生したときには、その発生に関与する時間帯に収集した印刷速度を除外して演算するようにする。この除外する処理は、作業者が記憶に基づいて手動操作で行うことができる。また、印刷物自動検査装置が適用された印刷機であれば、その印刷物自動検査装置による検査結果の出力信号に基づいて自動操作で行うことができる。
【００２４】
昇速率登録手段２５は印刷品目とその属性の指定入力に基づいて印刷品目とその属性および昇速率を対応付けて昇速率表１４に登録する。当然ながら、作業者はこの登録の前に、印刷速度昇速装置１００に対して入力部１０２から印刷品目とその属性を指定入力しておく（後述する図８、図９を参照）。
表示手段２６は表示部１０１に表示するためのデータを記憶部１０に表示データ１６として記憶する（書き込む）。記憶した表示データ１６は表示部１０１によって表示が行われる。
【００２５】
以上、構成について説明した。次に、本発明の印刷速度昇速装置における動作について説明する。最初に、昇速率を設定する動作について説明する。本発明の印刷速度昇速装置において昇速率を設定する動作のフローの一例を図７に示す。
まず、図７のステップＳ１（印刷品目入力）において、表示手段２６は印刷品目を入力する画面のデータを表示データ１６に書き込む。表示部１０１は印刷品目を入力する画面を表示する。作業者はその表示部１０１を見ながら入力部１０２から印刷品目を入力する。演算部２０の入力手段（図示せず）は入力された印刷品目を記憶部１０に印刷品目１１として記憶する。
次に、ステップＳ２（属性値入力）において、表示手段２６は属性値を入力する画面のデータを表示データ１６に書き込む。表示部１０１は属性値を入力する画面を表示する。作業者はその表示部１０１を見ながら入力部１０２から属性値を入力する。入力された属性値は印刷速度昇速装置１００の記憶部１０に属性値１２として記憶される。
次に、ステップＳ３（昇速率表参照）において、昇速率参照手段２１は記憶部１０に記憶された印刷品目１１とその属性値１２の指定入力に基づいて、記憶部１０に記憶されている昇速率表１３を参照して昇速率を得る。昇速率参照手段２１はその昇速率を記憶部１０に昇速率１４として記憶する。
次に、ステップＳ４（昇速率設定）において、昇速率設定手段２２は記憶部１０に記憶した昇速率１４に基づいて印刷機制御部２００に対して印刷速度の昇速率を設定する。
なお、この設定の後は前述したように、良品印刷条件の調整が済んで印刷機の運転速度を上昇させる印刷開始時において、作業者が印刷機の運転速度を上昇させる指示入力を行ったときには、印刷機制御部２００は印刷機における実際の昇速率が昇速率１４と一致するように印刷機の制御を行う。そして印刷速度の上昇を行って印刷速度が調整印刷速度から定常印刷速度に到達したときには、印刷機制御部２００は印刷速度の昇速を自動停止し定常印刷速度での印刷を行う。
【００２６】
次に、昇速率を登録する動作について説明する。本発明の印刷速度昇速装置において昇速率を登録する動作のフローの一例を図８に示す。
まず、図８のステップＳ１０１（印刷品目入力）は、図７のステップＳ１と同様であるから説明を省略する。
次に、ステップＳ１０２（属性値入力）は、図７のステップＳ２と同様であるから説明を省略する。
次に、ステップＳ１０３（印刷速度収集）において、作業者が印刷開始時に印刷機制御部２００において手動操作で昇速を行うと、印刷速度収集手段２３はそのときの印刷速度を収集する。印刷速度収集手段２３は収集した印刷速度を収集印刷速度１５として記憶部１０に記憶する
次に、ステップＳ１０４（昇速率演算）において、昇速率演算手段２４は収集した印刷速度に基づいて昇速率１３を演算する。
次に、ステップＳ１０５（昇速率登録）において、昇速率登録手段２５は印刷品目１１とその属性値１２の指定入力に基づいて印刷品目とその属性および昇速率１３を対応付けて昇速率表１４に登録する。
【００２７】
次に、昇速率の設定と登録を一連の流れで行う動作について説明する。本発明の印刷速度昇速装置において昇速率の設定と登録する動作のフローの一例を図９に示す。
まず、図９のステップＳ２０１（印刷品目入力）は、図７のステップＳ１と同様であるから説明を省略する。
次に、ステップＳ２０２（属性値入力）は、図７のステップＳ２と同様であるから説明を省略する。
次に、ステップＳ２０３（昇速率表参照）において、昇速率参照手段２１は記憶部１０に記憶された印刷品目１１とその属性値１２の指定入力に基づいて、記憶部１０に記憶されている昇速率表１３を参照する。
次に、ステップＳ２０４（登録データの有無）において、印刷品目１１とその属性値１２の昇速率が昇速率表１３に登録されていればその参照によって昇速率参照手段２１は昇速率を得る。そしてステップＳ２０５に進む。一方、昇速率表１３に登録されていなければステップＳ２０６に進む。
次に、ステップＳ２０５（昇速率設定）は、図７のステップＳ４と同様であるから説明を省略する。
次に、ステップＳ２０６（印刷速度収集）は、図８のステップＳ１０３と同様であるから説明を省略する。
次に、ステップＳ２０７（昇速率演算）において、昇速率演算手段２４は収集した印刷速度に基づいて昇速率を演算する。演算した昇速率は記憶手段１０に昇速率１４として記憶する。表示手段２６は昇速率１４を表示し登録する画面のデータを表示データ１６に書き込む。表示部１０１はその画面を表示する。
次に、ステップＳ２０８（登録指示有無）において、作業者は表示部１０１に表示された昇速率１４を確認し、それを取得したときの手動昇速の経過を考慮した上で、入力部１０２から登録指示（登録指示有）またはキャンセル（登録指示無）のいずれか入力を行う。「登録指示有」の入力が行われたときにはステップＳ２０９に進み、「登録指示無」の入力が行われたときには登録せずに処理を終了する。
次に、ステップＳ２０９（昇速率登録）は図８のステップＳ１０５と同様であるから説明を省略する。
なお、ステップＳ２０８において、印刷品質に大きな問題が発生したときには、その発生に関与する時間帯に収集した印刷速度を除外する手動操作を行って、昇速率演算を再度行わせる処理を、上記の処理に加えて行うように構成することができる。
【産業上の利用可能性】
【００２８】
印刷産業において利用可能である。オフセット輪転印刷に限らず、昇速時における濃度変動、位置変動が問題となる印刷において利用可能である。
【符号の説明】
【００２９】
１００  印刷物計数装置（本体）
１０１  表示部
１０２  入力部
２００  印刷機制御部
１０  記憶部
２０  演算部
１１  印刷品目
１２  属性値
１３  収集印刷速度
１４  昇速率表
１５  昇速率
１６  表示データ
２１  昇速率参照手段
２２  昇速率設定手段
２３  印刷速度収集手段
２４  昇速率演算手段
２５  昇速率登録手段
２６  表示手段
【図１】
2010228146.tif 000003
【図２】
2010228146.tif 000004
【図３】
2010228146.tif 000005
【図４】
2010228146.tif 000006
【図５】
2010228146.tif 000007
【図６】
2010228146.tif 000008
【図７】
2010228146.tif 000009
【図８】
2010228146.tif 000010
【図９】
2010228146.tif 000011
【図１０】
2010228146.tif 000012